(57)【要約】      （修正有）【課題】電熱器により水を加熱してナノスチームにし、ノズルによりナノスチームを食材へ均一にスプレーして食材に浸透させ、蒸煮方式により食物を調理する電熱式蒸煮装置を提供する。【解決手段】電熱式蒸煮装置は、鍋、ポット又は筐体の容器と、蓋体１２とを備える。容器又は蓋体１２内には、給水槽１２２及び電熱器１２３が設けられる。電熱器１２３内には、電熱管が配置され、電熱管上に中空状の凝縮水管が巻き付けられるか、又は電熱管上に金属層がプレキャスト方式により成形されるとともに、金属層内にチャネルが螺旋状に設けられる。凝縮水管又はチャネルは、一端が給水槽１２２まで延び、他端が延びてノズル１２５に接続される。【選択図】図４
0003182088.tif 000002
【実用新案登録請求の範囲】
【請求項１】
鍋、ポット又は筐体の容器と、蓋体とを備えた電熱式蒸煮装置であって、
前記容器又は前記蓋体内には、給水槽及び電熱器が設けられ、
前記電熱器内には、電熱管が配置され、前記電熱管上に中空状の凝縮水管が巻き付けられるか、又は前記電熱管上に金属層がプレキャスト方式により成形されるとともに、前記金属層内にチャネルが螺旋状に設けられ、
前記凝縮水管又は前記チャネルは、一端が前記給水槽まで延び、他端が延びてノズルに接続されることを特徴とする電熱式蒸煮装置。
【請求項２】
前記凝縮水管が延びて接続される前記ノズルの数は少なくとも１つであることを特徴とする請求項１に記載の電熱式蒸煮装置。
【請求項３】
前記電熱式蒸煮装置が家庭用電熱式蒸煮装置であって、前記凝縮水管に接続される前記ノズルは、少なくとも１つの噴出孔を有することを特徴とする請求項１又は２に記載の電熱式蒸煮装置。
【請求項４】
鍋、ポット又は筐体の容器の頂端開口を閉じる蓋体を備えた電熱式蒸煮装置であって、
前記蓋体には、給水槽及び電熱器が設けられ、
前記電熱器内には、電熱管が設けられ、前記電熱管上に中空状の凝縮水管が巻き付けられるか、又は前記電熱管上に金属層がプレキャスト方式により成形されるとともに、前記金属層内に螺旋状又は曲線状にチャネルが形成され、前記凝縮水管又は前記チャネルは、一端が前記給水槽まで延び、他端が延びてノズルに接続されることを特徴とする電熱式蒸煮装置。
【請求項５】
前記凝縮水管が延びて接続される前記ノズルの数は少なくとも１つであることを特徴とする請求項４に記載の電熱式蒸煮装置。
【請求項６】
前記電熱式蒸煮装置が家庭用電熱式蒸煮装置であって、前記凝縮水管に接続される前記ノズルは、少なくとも１つの噴出孔を有することを特徴とする請求項４又は５に記載の電熱式蒸煮装置。
【考案の詳細な説明】
【技術分野】
【０００１】
本考案は、電熱式蒸煮装置に関するものであり、さらに詳しくは、電熱器により水を加熱してナノスチームにし、ノズルによりナノスチームを食材へ均一にスプレーして食材に浸透させ、蒸煮方式により食物を調理する家庭用電熱式蒸煮装置に関する。
【背景技術】
【０００２】
従来の電子鍋にて米飯を炊く際、米及び水の量を予め調整し、長時間加熱しなければ米粒に熱が完全に通らない上、鍋内の水分が不均一となってしまうという問題があった。米粒毎に吸収する水分が異なる場合、多量の水分を含み、かつ水分量が均一な米飯を炊き上げることは容易でない。特に、炊き上がった米飯を鍋内で保温する場合、水分が失われて米飯が乾燥して硬くなり、食べられなくなることがある。また、従来の電子鍋へ食物を入れて煮る場合、長時間の加熱により鍋内の食物の栄養素が失われ、変色したり乾燥したりすることがある。さらに、スープを煮る場合、煮立って多くの灰汁が浮いて濁る虞がある。
【０００３】
現在市販されている圧力鍋は、食品の調理時間を短縮して食物の風味を良くすることができるように設計されているが、高温で圧力を加える必要があるため、適切に使用しない場合、鍋が破裂してしまう虞があり非常に危険である。
【０００４】
特開２００６−３２６０９０号公報（以下、「特許文献１」という。）には、蒸気を用いて食材を加熱処理する蒸煮装置が記載されており、かかる蒸煮装置は、食材が収容される処理槽と、この処理槽以外に蒸気供給する給蒸手段と、蒸気供給中、食材温度よりも低い飽和蒸気温度が得られる圧力まで、処理槽内を一時的に減圧する手段とを備えたものであることが記載されている。そして、一時的な減圧により、食材の液体分を沸騰させることにより食材の攪拌を図り優れた食味に仕上げることが開示されている。
【０００５】
しかし、特許文献１に記載の蒸煮装置では長時間の加熱を必要とし、食物の風味を失うおそれがある。
【特許文献１】特開２００６−３２６０９０号公報
【考案の概要】
【考案が解決しようとする課題】
【０００６】
本考案の課題は、食物を速やかに調理して食物が本来有する味を保持することができる電熱式蒸煮装置、特に家庭用電熱式蒸煮装置を提供することにある。
【課題を解決するための手段】
【０００７】
そこで、本考案者は、前記の本考案の課題を解決するため鋭意検討を重ねた結果、蒸煮装置の容器又は蓋体上に設置した電熱器により加熱して水を微粒子状のナノスチームとし、スチームの圧力により出水口まで速やかに押し出し、凝縮水管に接続されたノズルを介して容器内の食材へのナノスチームをスプレーし、スチームの強力な圧力により食材内部まで浸透させることにより、前記課題を解決できることに着目し、かかる知見に基いて本考案に想到するに至った。
【０００８】
かくして、上記課題を解決するために、本考案の第１の形態によれば、鍋、ポット又は筐体の容器と、蓋体とを備えた電熱式蒸煮装置であって、
前記容器又は前記蓋体内には、給水槽及び電熱器が設けられ、
前記電熱器内には、電熱管が配置され、前記電熱管上に中空状の凝縮水管が巻き付けられるか、又は前記電熱管上に金属層がプレキャスト方式により成形されるとともに、前記金属層内にチャネルが螺旋状に設けられ、
前記凝縮水管又は前記チャネルは、一端が前記給水槽まで延び、他端が延びてノズルに接続されることを特徴とする電熱式蒸煮装置が提供される。
【０００９】
また、前記凝縮水管が延びて接続される前記ノズルの数は少なくとも１つであることが好ましい。
【００１０】
また、前記電熱式蒸煮装置が家庭用電熱式凝縮水管であって、前記凝縮水管に接続される前記ノズルは、少なくとも１つの噴出孔を有することが好ましい。
上記課題を解決するために、本考案の第２の形態によれば、鍋、ポット又は筐体の容器の頂端開口を閉じる蓋体を備えた電熱式蒸煮装置であって、
前記蓋体には、給水槽及び電熱器が設けられ、
前記電熱器内には、電熱管が設けられ、前記電熱管上に中空状の凝縮水管が巻き付けられるか、又は前記電熱管上に金属層がプレキャスト方式により成形されるとともに、前記金属層内に螺旋状又は曲線状にチャネルが形成され、前記凝縮水管又は前記チャネルは、一端が前記給水槽まで延び、他端が延びてノズルに接続されることを特徴とする電熱式蒸煮装置が提供される。
【００１１】
また、前記凝縮水管が延びて接続される前記ノズルの数は少なくとも１つであることが好ましい。
【００１２】
また、前記電熱式蒸煮装置が家庭用電熱式蒸煮装置であって、前記凝縮水管に接続される前記ノズルは、少なくとも１つの噴出孔を有することが好ましい。
【００１３】
なお、本明細書において、「家庭用」電熱式蒸煮装置とは、鍋とポット又は筐体等を構成要素とし、小型化されたものであり、また、操作容易とされた蒸煮装置を包含するものである。
【考案の効果】
【００１４】
本考案は、前記の通りの構成からなるものであり、電熱管が加熱されることにより、電熱管に巻回されている凝縮水管内の空気が膨張し、凝縮水管の吸水口がサイフォン効果により給水槽内の水を吸入し、加熱された水が微粒状水蒸気となり、出水口から均一にスプレーされるので、食物全体に水分を均一かつ十分に供給し蒸煮することができる蒸煮装置を提供することができる。
【図面の簡単な説明】
【００１５】
【図１】図１は、本考案の第１実施形態に係る家庭用電熱式蒸煮装置を示す斜視図である。
【図２】図２は、本考案の第１実施形態に係る家庭用電熱式蒸煮装置の断面図である。
【図３】図３は、本考案の一実施形態に係る家庭用電熱式蒸煮装置の電熱器内部構造を示す模式図である。
【図４】図４は、本考案の第１実施形態に係る家庭用電熱式蒸煮装置を使用するときの状態を示す模式図である。
【図５】図５は、本考案の第２実施形態に係る家庭用電熱式蒸煮装置を示す模式図である。
【図６】図６は、本考案の第２実施形態に係る家庭用電熱式蒸煮装置を示す模式図である。
【図７】図７は、本考案の第３実施形態に係る家庭用電熱式蒸煮装置を示す模式図である。
【図８】図８は、本考案の第３実施形態に係る家庭用電熱式蒸煮装置を示す模式図である。
【考案を実施するための形態】
【００１６】
以下、本考案の実施形態を図面に基づいて説明する。なお、これによって本考案が限定されるものではない。
【００１７】
（第１実施形態）
図１を参照する。図１は、本考案の第１実施形態に係る家庭用電熱式蒸煮装置を示す斜視図である。図１に示すように、本考案の第１実施形態に係る電熱式蒸煮装置の電気鍋１は、少なくとも鍋体１１及び蓋体１２から構成される。鍋体１１の内部には、内鍋１３を収納する収納空間（図２参照）が設けられ、蓋体１２を閉じると鍋体１１が密閉されて鍋体１１内部に密閉空間が形成される。
【００１８】
図２を参照する。図２は、本考案の第１実施形態に係る家庭用電熱式蒸煮装置を示す断面図である。図２に示すように、本考案の第１実施形態に係る電熱式蒸煮装置は、蓋体１２内部に給水槽１２２及び電熱器１２３が設けられている。給水槽１２２の上方には、注水口１２２１が形成され、給水槽１２２の側部には空焚き防止装置１２４が配置されている。電熱器１２３内部には、電熱管１２３１（図３参照）が配置され、電熱管１２３１上には、中空状の凝縮水管１２３２が周設される。この凝縮水管１２３２の前端に設けられた給水口１２３３は、給水槽１２２まで延びる。凝縮水管１２３２の末端に設けられた出水口１２３４は、蓋体１２の底端まで延びるともに、複数のノズル１２５が接続される。各ノズル１２５は、複数の噴出孔（図示せず）を有する。
【００１９】
図３に示すように、電熱器１２３内には、電熱管１２３１が配置される。電熱管１２３１の末端には、導線１２３０が接続され、この導線１２３０を介して電源に導通され、電熱管１２３１の外側には、中空状の凝縮水管１２３２が連続的に巻き付けられている。凝縮水管１２３２の前端の給水口１２３３は、給水槽１２２まで延び（図２参照）、末端に形成された出水口１２３４が蓋体１２の底部まで延びて複数のノズル１２５が接続される。電熱管１２３１及び凝縮水管１２３２の周りは、金属層１２３５及び断熱層１２３６により順次覆われ、電熱器１２３が導通されて加熱を行うと、巻き付けた凝縮水管１２３２が速やかに加熱されて凝縮水管１２３２内の空気が膨張され、サイフォン効果により給水槽１２２内の水が凝縮水管１２３２へ吸入されて加熱され、外周に設けられた金属層１２３５により凝縮水管１２３２の導熱速度が加速し、金属層１２３５の外周が断熱層１２３６により覆われているため、高温により周辺部品が変形することを防ぐことができる。電熱器１２３は、蓋体１２内に設置するか、又は鍋体１１の任意の箇所へ設置してもよい。また、凝縮水管１２３２はノズル１２５まで延ばされ、ノズル１２５を介して内鍋１３内の食材へスプレーすることができる。
【００２０】
図４を参照する。図４は、本考案の第１実施形態に係る電熱式蒸煮装置を使用するときの状態を示す模式図である。図４に示すように、米飯を炊く際、本考案の第１実施形態に係る電熱式蒸煮装置は、まず、蓋体１２上に設けられた注水口１２２１から水を適量注入した後、電気鍋１の電源をオンすると電熱器１２３内の電熱管１２３１が加熱され、電熱管１２３１上に巻き付けられた凝縮水管１２３２内の空気が膨張し、凝縮水管１２３２の給水口１２３３がサイフォン効果により給水槽１２２内の水を吸入し、電熱管１２３１により加熱された水がナノスチーム（約３００〜４００℃）となり、凝縮水管１２３２に接続された出水口１２３４のノズル１２５を介して、ナノスチームが均一にスプレーされる。これにより内鍋１３内の米粒又は食材の温度が上がり、米粒が水分を吸収して膨張し、蒸気が米粒に浸透すると、米の芯まで均一かつ十分に水分が速やかに吸収されるため、噛み応えがある上、きれいで白色透明の米飯を作ることができる。
【００２１】
（第２実施形態）
続いて、図５を参照する。図５は、本考案の第２実施形態に係る家庭用電熱式蒸煮装置を示す模式図である。図５に示すように、本考案の第２実施形態に係る電熱式蒸煮装置は、一般のスープ用鍋２又はフライパンへ応用する際、鍋体２１の蓋体１２を閉じることができる。例えば、チキンスープを作ったり肉を蒸煮したりする際、蓋体１２を閉じると鍋体２１が密閉され、蓋体１２上の注水口１２２１から水を適宜注入した後、電源ケーブル１４が導通されると、電熱器１２３の電熱管１２３１（図示せず）が加熱され、水が３００〜４００℃のナノスチームとなり、ノズル１２５によりナノスチームを食材へ均一にスプレーして浸透させることができる。本実施形態では高温低圧方式が採用されているため、使用の安全性が高い上、調理する食物を速やかに煮て、灰汁の発生を防ぎ、食物の香り及びビタミン、ミネラルなどの栄養素を維持し、優れた色・香り・味を得ることができる。
【００２２】
図６を参照する。図６は、本考案の第２実施形態に係る家庭用電熱式蒸煮装置を示す模式図である。図６に示すように、本考案の第２実施形態に係る電熱式蒸煮装置の電熱器４は、少なくとも金属層４１、電熱管４２及び断熱層４３から構成される。金属層４１は、プレキャスト方式により成形されるとともに、内部に電熱管４２を有し、中空状のチャネル４１１が曲線状に形成され、プレキャスト方式により、電熱器４の金属層４１の上部に給水口４１１１が形成され、下部に複数の出水口４１１２が形成されている。給水口４１１１及び複数の出水口４１１２は、中空状の螺旋状チャネル４１１と連通する。給水口４１１１は、給水槽１２２に接続され、電熱器４が導電されて加熱されると、サイフォン原理によりチャネル４１１に水が吸入され、水がナノスチームとなって複数の出水口４１１２からノズル１２５へ送られ、ノズル１２５を介して食材にスプレーされる。
【００２３】
（第３実施形態）
図７を参照する。図７は、本考案の第３実施形態に係る家庭用電熱式蒸煮装置を示す模式図である。図７に示すように、本考案の第３実施形態に係る電熱式蒸煮装置の電熱器１２３は、筐体１５（例えば、オーブン）の側部に配置され、給水口１２３３と給水槽１２２とが連通し、電熱器１２３が加熱されると、電熱管１２３１内の空気が膨張し（図示せず）、サイフォン効果により給水口１２３３を介して給水槽１２２の水又は液体が吸入され、電熱器１２３内で温度が急上昇して気化してできたナノスチームがノズル１２５を介してスプレーされ、筐体１５内の食材を焼く際、スプレーされたナノスチームにより食材の水分を保持することができる上、食材が焦げたり硬くなったりすることを防ぐことができる。
【００２４】
電熱器１２３は、凝縮水管１２３２が電熱管１２３１の外側に巻き付けられた構造以外に、その他の構造にしてもよい。例えば、図８に示すように、電熱器４を金属層４１、電熱管４２及び断熱層４３で構成し、金属層４１がプレキャスト方式で成形され、螺旋状に電熱管４２へ巻き付けることができるように、型枠内部にチャネル４１１の余裕を持たせてもよい。チャネル４１１の前端及び後端には、給水口４１１１及び出水口４１１２がそれぞれ設けられるとともに、金属層４１は、電熱管４２を内部に有し、断熱層４３により外部が覆われる。電熱器４が導通されると、金属層４１を介して速やかに加熱され、金属層４１内部のチャネル４１１の空気が膨張し、サイフォン原理により水がチャネル４１１へ吸入され、電熱管４２により加熱して水をナノスチームにし、食材にスプレーしてもよい。
【００２５】
上述したことから分かるように、本考案の電熱式蒸煮装置は、電熱器により水を加熱してナノスチームにし、ノズルによりナノスチームを食材へ均一にスプレーし、蒸煮方式により食物の栄養価を高めて、従来の鍋、ポット又は箱体と比べて進歩している上に利便性が高い。
【００２６】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  電気鍋
２  スープ用鍋
４  電熱器
１１  鍋体
１２  蓋体
１３  内鍋
１４  電源ケーブル
１５  筐体
２１  鍋体
４１  金属層
４２  電熱管
４３  断熱層
１２２  給水槽
１２３  電熱器
１２４  空焚き防止装置
１２５  ノズル
４１１  チャネル
１２２１  注水口
１２３０  導線
１２３１  電熱管
１２３２  凝縮水管
１２３３  給水口
１２３４  出水口
１２３５  金属層
１２３６  断熱層
４１１１  給水口
４１１２  出水口
【図１】
0003182088.tif 000003
【図２】
0003182088.tif 000004
【図３】
0003182088.tif 000005
【図４】
0003182088.tif 000006
【図５】
0003182088.tif 000007
【図６】
0003182088.tif 000008
【図７】
0003182088.tif 000009
【図８】
0003182088.tif 000010